(57)【要約】【課題】アイボルトやワイヤー等が容易に取り外され防水処理も簡単で、安全な組立構造物の屋根ユニット設置方法を提供する。【解決手段】支持フレーム１上に屋根板材２が取着された屋根ユニット３に取付用孔４を穿設してこれに対応すによう取付用ナット５を固定し、取付用ナット５のネジ孔６よりも小径のアイボルト７を挿通させ、アイボルト７に支持用ナット８を螺合させてこの両者で屋根ユニット３を挟着し、アイボルト７を吊り下げて屋根ユニット３を組立構造物本体９上に設置し、次に、アイボルト７から支持用ナット８を下方から取り外して、アイボルト７を上方へ抜き外し、その後、取付用ナット５のネジ孔６に下方から栓用ボルトを螺合させて閉塞する。【選択図】　　　　　図１
2004084220.tif 000002
【特許請求の範囲】
【請求項１】
支持フレーム上に屋根板材が取着固定された屋根ユニットには、上下に貫通した取付用孔を穿設してこの取付用孔に対応すによう取付用ナットを取着固定しておいて、
この取付用ナットのネジ孔よりも小径のアイボルトを上方から同ネジ孔に挿通させ、このアイボルトに下方から支持用ナットを螺合させて、この支持用ナットと同アイボルトとで前記取付用ナットと共に屋根ユニットを挟着固定し、
この挟着固定状態で、同アイボルトを上方から吊り下げて前記屋根ユニットを組立構造物本体の屋根部位に設置固定し、
次に、このアイボルトから前記支持用ナットを下方から取り外して、同アイボルトを前記取付用ナット及び取付用孔から上方へ抜き外し、
その後、前記取付用ナットのネジ孔に下方から栓用ボルトを螺合させて、この栓用ボルトにより同ネジ孔と共に前記取付用孔を閉塞する組立構造物の屋根ユニット設置方法。
【請求項２】
アイボルトが挿通された状態で、取付用ナットのネジ孔と対応する位置の同アイボルトの外周に、養生材を施しておくことを特徴とする請求項１記載の組立構造物の屋根ユニット設置方法。
【請求項３】
取付用ナットのネジ孔に螺合される栓用ボルトの外周に、防水シール材を施しておくことを特徴とする請求項１又は２記載の組立構造物の屋根ユニット設置方法。
【請求項４】
支持フレームがタイトフレームを備えるものであり、このタイトフレーム上に沿うよう山部と谷部とを有した波型の屋根板材が取着固定されて屋根ユニットが構成され、同タイトフレーム及び屋根板材の山部を貫通する位置に取付用孔を穿設していることを特徴とする請求項１〜３のいずれか一つに記載の組立構造物の屋根ユニット設置方法。
【請求項５】
屋根板材の上側面に取付用ナットを取着固定しておいて、この取付用ナットとアイボルトに螺合される支持用ナットとでタイトフレーム及び屋根板材を挟持させることを特徴とする請求項４記載の組立構造物の屋根ユニット設置方法。
【発明の詳細な説明】
【０００１】
【発明の属する技術分野】
本発明は、アイボルトを用いクレーン等で上方から吊り下げて吊り込み作業を行う組立構造物の屋根ユニット設置方法に関するものである。
【０００２】
【従来の技術】
従来、この種の組立構造物の屋根ユニット設置方法では、屋根ユニットにアイボルトを螺合固定し、このアイボルトを上方から吊り下げて同屋根ユニットを組立構造物本体の屋根部位に設置固定し、その後、この屋根ユニットから同アイボルトを取り外していた。その一例として、特開平４−７６１４４号公報に示されるような方法が知られている。
【０００３】
この方法では、図１０に示す如く、屋根ユニット３にアイボルト７を螺合固定し、このアイボルト７を上方からワイヤーＷを介しクレーンのフック３５で吊り下げて、同屋根ユニット３をユニット住宅の屋根部位に設置固定し、その後、この屋根ユニット３から同アイボルト７を取り外すものである。
【０００４】
この屋根ユニット３では、図１１に示す如く、支持フレーム１上に屋根下地材２８を介して屋根仕上材２９が取り付けられ、同支持フレーム１の外周には壁下地材３０を介して壁仕上材３１が取り付けられている。又、支持フレーム１及び屋根下地材２８に貫通固定されるナット３２が設けられ、同屋根下地材２８上には埋木３３が取着固定されており、この埋木３３には前記ナット３２を上方へ露出させるように切欠部３４が形成されている。
【０００５】
この場合、アイボルト７をナット３２に上方から切欠部３４を通し螺合させて、前記の如く、同アイボルト７を上方から吊り下げて屋根ユニット３をユニット住宅の屋根部位に設置固定することができる。その後に、アイボルト７をナット３２から上方へ抜き外し、図１２に示す如く、同ナット３２と切欠部３４との貫通部分の上側を覆うカバー３６を被着固定するものである。
【０００６】
したがって、この方法によれば、工場で屋根ユニット３にナット３２を設けておき、建設現場では、同ナット３２にアイボルト７を螺合して取り付け、このアイボルト７を用いて吊り込み作業を行うことができる。そして、屋根ユニット３を設置固定した後に、前記アイボルト７を取り外し、防水施工としてカバー３６を被着固定して、建設施工が完成する。
【０００７】
【発明が解決しようとする課題】
しかしながら、上記従来の技術にあっては、屋根ユニット３を設置固定した後に、アイボルト７やワイヤーＷ等を取り外す際、作業者が同屋根ユニット３上にのぼってこの取り外し作業を行わなければならない。又、アイボルト７を抜き外した貫通部分を覆うために防水施工としてカバー３６を被着固定しており、この防水施工作業も作業者が屋根ユニット３上にのぼって行わなければならない。このように、上記従来の技術にあっては、アイボルト７やワイヤーＷ等を取り外す作業やその後の防水施工作業が困難で安全性に劣るという問題があった。
【０００８】
本発明は、上記従来の技術における問題を悉く解決するために発明されたもので、その課題は、アイボルトやワイヤー等が容易に取り外され、その後の防水処理も簡単で、作業者は屋根パネル上にのぼる必要がなく安全な組立構造物の屋根ユニット設置方法を提供することである。
【０００９】
【課題を解決するための手段】
本発明の請求項１記載の組立構造物の屋根ユニット設置方法は、支持フレーム上に屋根板材が取着固定された屋根ユニットには、上下に貫通した取付用孔を穿設してこの取付用孔に対応すによう取付用ナットを取着固定しておいて、この取付用ナットのネジ孔よりも小径のアイボルトを上方から同ネジ孔に挿通させ、このアイボルトに下方から支持用ナットを螺合させて、この支持用ナットと同アイボルトとで前記取付用ナットと共に屋根ユニットを挟着固定し、この挟着固定状態で、同アイボルトを上方から吊り下げて前記屋根ユニットを組立構造物本体の屋根部位に設置固定し、次に、このアイボルトから前記支持用ナットを下方から取り外して、同アイボルトを前記取付用ナット及び取付用孔から上方へ抜き外し、その後、前記取付用ナットのネジ孔に下方から栓用ボルトを螺合させて、この栓用ボルトにより同ネジ孔と共に前記取付用孔を閉塞するものである。
【００１０】
したがって、この場合、支持用ナットとアイボルトとで取付用ナットと共に屋根ユニットを挟着固定した状態で、同アイボルトを上方からワイヤー等を介しクレーン等で吊り下げて、前記屋根ユニットを組立構造物本体の屋根部位に確実に設置固定することができる。しかも、取付用孔に対応すによう取着固定される取付用ナットのネジ孔よりもアイボルトは小径であるため、このアイボルトを同ネジ孔に上方から支障なくスムーズに挿通させることができ、支持用ナットを同アイボルトに下方から螺合させて、屋根ユニットを容易且つ確実に挟着固定することができる。
【００１１】
又、屋根ユニットを設置固定した後には、アイボルトから支持用ナットを下方から取り外してやれば、クレーン等の操作でワイヤー等と共に同アイボルトを取付用ナット及び取付用孔から上方へ容易に抜き外すことができる。そして、取付用ナットのネジ孔に下方から栓用ボルトを螺合させて、この栓用ボルトにより同ネジ孔と共に取付用孔を閉塞することができ、貫通部分には簡単に防水処理が施される。ここでは、支持用ナットを取り外す作業及び栓用ボルトを螺合させる作業を屋根ユニットの下方から行うことができて、作業者は同屋根ユニット上にのぼる必要がなく安全である。
【００１２】
本発明の請求項２記載の組立構造物の屋根ユニット設置方法は、上記請求項１記載の組立構造物の屋根ユニット設置方法において、アイボルトが挿通された状態で、取付用ナットのネジ孔と対応する位置の同アイボルトの外周に、養生材を施しておくことを特徴とするものである。
【００１３】
したがって、この場合は特に、取付用ナットのネジ孔と対応する位置のアイボルトの外周に養生材を施しておくので、吊り下げられる屋根ユニットが揺れて同アイボルトが振れ動いても、取付用ナットのネジ孔の内周面には養生材が当接して傷がつき難い。それ故、取付用ナットのネジ孔でのネジ潰れが防止されて、その後、同ネジ孔には栓用ボルトを支障なくスムーズに螺合させることができるようになる。
【００１４】
本発明の請求項３記載の組立構造物の屋根ユニット設置方法は、上記請求項１又は２記載の組立構造物の屋根ユニット設置方法において、取付用ナットのネジ孔に螺合される栓用ボルトの外周に、防水シール材を施しておくことを特徴とするものである。
【００１５】
したがって、この場合は特に、栓用ボルトの外周に防水シール材を施しておくので、この栓用ボルトを取付用ナットのネジ孔に螺合させると、同ネジ孔の内周面と栓用ボルトの外周面との間の隙間が防水シール材で密閉されて、防水処理は確実なものとなる。
【００１６】
本発明の請求項４記載の組立構造物の屋根ユニット設置方法は、上記請求項１〜３のいずれか一つに記載の組立構造物の屋根ユニット設置方法において、支持フレームがタイトフレームを備えるものであり、このタイトフレーム上に沿うよう山部と谷部とを有した波型の屋根板材が取着固定されて屋根ユニットが構成され、同タイトフレーム及び屋根板材の山部を貫通する位置に取付用孔を穿設していることを特徴とするものである。
【００１７】
したがって、この場合は特に、タイトフレーム及び屋根板材を貫通する取付用孔を穿設しているので、取付用ナットと共に同タイトフレームと屋根板材とが強固に挟着固定されて、屋根ユニットは確実に吊り下げ支持されるようになる。しかも、取付用孔は雨水が溜まらない屋根板材の山部に位置するので、同取付用孔での防水処理はより確実で容易に行われるようになる。
【００１８】
本発明の請求項５記載の組立構造物の屋根ユニット設置方法は、上記請求項４記載の組立構造物の屋根ユニット設置方法において、屋根板材の上側面に取付用ナットを取着固定しておいて、この取付用ナットとアイボルトに螺合される支持用ナットとでタイトフレーム及び屋根板材を挟持させることを特徴とするものである。
【００１９】
したがって、この場合は特に、支持用ナットとアイボルトとで取付用ナットと共に屋根ユニットを挟着固定した際に、同取付用ナットと支持用ナットとの間にタイトフレーム及び屋根板材が介在して挟持されるので、このタイトフレーム及び屋根板材はより強固で確実に挟着固定されるようになる。
【００２０】
【発明の実施の形態】
図１〜９は、本発明の請求項１〜５全てに対応した一実施形態である組立構造物の屋根ユニット設置方法を示している。この組立構造物の屋根ユニット設置方法では、図２に示す如く、支持フレーム１上に屋根板材２が取着固定された屋根ユニット３に、上下に貫通した取付用孔４を穿設してこの取付用孔４に対応すによう取付用ナット５を取着固定しておく。
【００２１】
そして、図３に示す如く、前記取付用ナット５のネジ孔６よりも小径のアイボルト７を上方から同ネジ孔６に挿通させ、このアイボルト７に下方から支持用ナット８を螺合させて、この支持用ナット８と同アイボルト７とで前記取付用ナット５と共に屋根ユニット３を挟着固定する。この挟着固定状態で、図１に示す如く、アイボルト７を上方から吊り下げて屋根ユニット３を組立構造物本体９の屋根部位に設置固定する。
【００２２】
次に、図４に示す如く、アイボルト７から支持用ナット８を下方から取り外して、同アイボルト７を取付用ナット５及び取付用孔４から上方へ抜き外す。その後に、図５に示す如く、前記アイボルト７が抜き外された取付用ナット５のネジ孔６に下方から栓用ボルト１０を螺合させて、この栓用ボルト１０により同ネジ孔６と共に前記取付用孔４を閉塞する。
【００２３】
又、この組立構造物の屋根ユニット設置方法では、アイボルト７が挿通された状態で、取付用ナット５のネジ孔６と対応する位置の同アイボルト７の外周に、図３（ｂ）に示す如く、養生材１１を施しておくものである。又、取付用ナット５のネジ孔６に螺合される栓用ボルト１０の外周に、図５（ｂ）に示す如く、防水シール材１２を施しておくものである。
【００２４】
又、この組立構造物の屋根ユニット設置方法では、支持フレーム１がタイトフレーム１３を備えるものであり、このタイトフレーム１３上に沿うよう山部１４と谷部１５とを有した波型の屋根板材２が取着固定されて屋根ユニット３が構成され、同タイトフレーム１３及び屋根板材２の山部１４を貫通する位置に取付用孔４を穿設している。この場合に、屋根板材２の上側面に取付用ナット５を取着固定しておいて、この取付用ナット５とアイボルト７に螺合される支持用ナット８とでタイトフレーム１３及び屋根板材２を挟持させるものである。
【００２５】
以下、この実施形態の組立構造物の屋根ユニット設置方法を、より詳細に説明する。図６に示す如く、組立構造物Ａは既存建物Ｂに隣接して組立設置されるエレベータ塔である。既存建物Ｂは複数階の共同マンション住宅であり、この既存建物Ｂの外壁１６に沿って組立構造物Ａがその背面側を同外壁１６に対向させて組立設置される。
【００２６】
組立構造物Ａの背面側には上下に複数のエレベータ用出入口１７が配設されており、各エレベータ用出入口１７は既存建物Ｂの各階に対応される。組立構造物Ａの背面側には各エレベータ用出入口１７に対応して通路用のベランダ１８が突設されており、各ベランダ１８を通じて既存建物Ｂの各階と同組立構造物Ａの各エレベータ用出入口１７との間は通行移動可能となる。なお、組立構造物Ａは地面Ｇ上に組立設置されるが、その際には、周辺に施工用の足場を必要としない。
【００２７】
又、組立構造物Ａは、エレベータが上下昇降される縦長略筒形状の組立構造物本体９と、この組立構造物本体９の上端開口部分となる屋根部位に設置固定される屋根ユニット３と、を備えている。屋根ユニット３を組立構造物本体９の屋根部位に設置固定する際には、図６（ｂ）に示す如く、この屋根ユニット３の四方四箇所に上方へ突設される各アイボルト７にワイヤーＷを引っ掛け、このワイヤーＷを一まとめにしクレーン等で吊り下げて、同屋根ユニット３を組立構造物本体９の上端部分の所定位置に設置固定する。
【００２８】
この場合、屋根ユニット３にアイボルト７を取り付けたり、このアイボルト７にワイヤーＷを引っ掛けたりする作業は、当然に地上で行われる。又、屋根ユニット３が組立構造物本体９上に設置固定された状態では、同屋根ユニット３の一部分が庇部１９として組立構造物Ａの背方へ突設される。
【００２９】
そして、上記従来の技術のような方法によると、作業者Ｈは設置固定された屋根ユニット３上にのぼってアイボルト７やワイヤーＷ等を同屋根ユニット３から取り外しており、その際、周辺に施工用の足場がないと、作業者Ｈは既存建物Ｂの屋上２０から屋根ユニット３上に飛び下りたり、既存建物Ｂの外壁１６と組立構造物Ａの庇部１９との間の隙間から同屋根ユニット３上によじのぼっており、作業の安全性に問題があった。これに対し、この実施形態の屋根ユニット設置方法によると、後述する如く、アイボルト７やワイヤーＷ等を屋根ユニット３から取り外す際に、作業者Ｈは同屋根ユニット３上にのぼる必要がなくて安全である。
【００３０】
組立構造物Ａの上端部分では、図７に示す如く、組立構造物本体９の上端にある矩形枠組体２１上に屋根ユニット３の支持フレーム１が結合固定される。屋根ユニット３の支持フレーム１は、両側枠部１ａと前枠部１ｂと後枠部１ｃとでなる矩形枠状体と、この矩形枠状体の両側枠部１ａ間に架設結合される前中桟部１ｄ及び後中桟部１ｅを有している。そして、支持フレーム１の前中桟部１ｄ及び後中桟部１ｅが組立構造物本体９上端の矩形枠組体２１の前後枠上にブラケット２５を介し結合固定されて、屋根ユニット３は同組立構造物本体９上の所定位置に設置固定される。その際に、屋根ユニット３の前枠部１ｂ側部分が、前記庇部１９として既存建物Ｂの外壁１６に向かい突設される。
【００３１】
図７におけるＸ−Ｘ断面、Ｙ−Ｙ断面、Ｚ−Ｚ断面を、各々、図８の（ａ）、（ｂ）、（ｃ）に示す。屋根ユニット３には、組立構造物本体９上に設置固定された際に、庇部１９側を徐々に低くするような水勾配が設けられる。この場合、支持フレーム１の前中桟部１ｄは後中桟部１ｅに比して、高さ方向となる巾寸法が短く形成されている。又、支持フレーム１の前枠部１ｂも、図９に示す如く、前中桟部１ｄに比して、高さ方向となる巾寸法が短く形成されている。
【００３２】
そして、図８にも示す如く、屋根ユニット３の水勾配に沿って山部１４及び谷部１５が並設されるように、折版屋根と称される波型の屋根板材２は支持フレーム１上に取着固定されている。その際、支持フレーム１の後中桟部１ｅ、前中桟部１ｄ、前枠部１ｂ上に、各々、屋根板材２の下面に沿った波型のタイトフレーム１３が固着されていて、このタイトフレーム１３の上側に同屋根板材２は強固且つ確実に取着固定されている。
【００３３】
又、屋根ユニット３の両側縁部分及び前縁部分には略Ｌ型の包み板２２が取り付けられており、同屋根ユニット３の後縁部分には、図９に示す如く、屋根板材２から流下する雨水を受ける軒樋２３が取り付けられており、この軒樋２３から竪樋２６を通じて同雨水は地上へと流下排水される。この場合、組立構造物本体９の外周には外装材２４が施工されており、この外装材２４の上端部分の外側は包み板２２で被装される。
【００３４】
ところで、屋根ユニット３にあっては、タイトフレーム１３及び屋根板材２の山部１４を貫通する位置に取付用孔４を穿設し、この取付用孔４に対応すによう屋根板材２の上側面に取付用ナット５を溶接や接着等の固着手段で取着固定しておくものであるが、この場合には、図２に示す如く、取付用ナット５の周囲にシーリングＳが施される。そして、図３に示す如く、前記取付用ナット５のネジ孔６よりも小径のアイボルト７を上方から同ネジ孔６に挿通させ、このアイボルト７に下方から支持用ナット８を螺合させて、この支持用ナット８と同アイボルト７とで前記取付用ナット５と共に屋根ユニット３を挟着固定する。
【００３５】
この場合、屋根板材２の上側面に取付用ナット５が取着固定されていて、この取付用ナット５とアイボルト７に螺合される支持用ナット８とでタイトフレーム１３及び屋根板材２が挟持される。前記アイボルト７はその上端にリング状の係止部２７を有しており、この係止部２７にワイヤーＷが引っ掛けられる。図３（ｂ）に示す如く、アイボルト７の前記係止部２７近傍の基部外周には、取付用ナット５のネジ孔６に挿通された際に、このネジ孔６を傷つけないよう養生材１１が付設される。この養生材１１は、アイボルト７の外周面にシート状物が巻着されたり樹脂が塗布されたりして付設される。
【００３６】
そして、前記挟着固定状態で、図１、図６（ｂ）に示す如く、アイボルト７を上方からワイヤーＷを介しクレーン等で吊り下げて屋根ユニット３を組立構造物本体９の屋根部位に設置固定する。次に、図４に示す如く、アイボルト７から支持用ナット８を下方から取り外して、同アイボルト７を取付用ナット５及び取付用孔４から上方へ抜き外し、このアイボルト７及びワイヤーＷ等を屋根ユニット３から取り外し除去する。
【００３７】
この場合、アイボルト７から支持用ナット８を取り外してやると、クレーン等でワイヤーＷを引き上げるだけで、このワイヤーＷと共にアイボルト７は上方へ引っ張られて、取付用ナット５及び取付用孔４から同アイボルト７が上方へ簡単に抜き外される。その際、作業者Ｈは屋根ユニット３上にのぼる必要がなく、同屋根ユニット３の下方からの作業だけで済み安全である。
【００３８】
その後、図５に示す如く、前記アイボルト７が抜き外された取付用ナット５のネジ孔６に下方から栓用ボルト１０を螺合させて、この栓用ボルト１０により同ネジ孔６と共に前記取付用孔４を閉塞する。この場合も、作業者Ｈは屋根ユニット３上にのぼる必要がなく、同屋根ユニット３の下方からの作業だけで済み安全である。又、栓用ボルト１０の外周ネジ面には、図５（ｂ）に示す如く、防水シール材１２が付設されており、同栓用ボルト１０を取付用ナット５のネジ孔６に螺合させた際に、この螺合部分の隙間は同防水シール材１２によって密閉される。この防水シール材１２は、栓用ボルト１０の外周ネジ面にシート状物が巻着されたり樹脂が塗布されたりして付設される。
【００３９】
したがって、この実施形態の組立構造物の屋根ユニット設置方法においては、支持用ナット８とアイボルト７とで取付用ナット５と共に屋根ユニット３を挟着固定した状態で、同アイボルト７を上方からワイヤーＷを介しクレーン等で吊り下げて、前記屋根ユニット３を組立構造物本体９上端の屋根の所定位置に確実に設置固定することができる。
【００４０】
しかも、取付用孔４に対応すによう取着固定される取付用ナット５のネジ孔６よりもアイボルト７は小径であるため、このアイボルト７を同ネジ孔６に上方から支障なくスムーズに挿通させることができ、同アイボルト７には支持用ナット８を下方から螺合させて、屋根ユニット３を容易且つ確実に挟着固定することができる。
【００４１】
又、屋根ユニット３を設置固定した後には、各アイボルト７から支持用ナット８を下方から取り外してやれば、クレーン等の操作でワイヤーＷと共に同各アイボルト７をまとめて取付用ナット５及び取付用孔４から上方へ容易に抜き外すことができる。そして、取付用ナット５のネジ孔６に下方から栓用ボルト１０を螺合させ締め付けて、この栓用ボルト１０により同ネジ孔６と共に取付用孔４を閉塞することができ、貫通部分には簡単に防水処理が施される。
【００４２】
ここでは、アイボルト７から支持用ナット８を取り外す作業、及び、取付用ナット５のネジ孔６に栓用ボルト１０を螺合させる作業を、屋根ユニット３の下方から行うことができて、作業者Ｈは同屋根ユニット３上にのぼる必要がない。それ故、周辺に施工用の足場がなくても、図６（ｂ）に示したような、作業者Ｈの危険な動作もなくなって、設置作業の安全性は向上される。
【００４３】
又、この実施形態の組立構造物の屋根ユニット設置方法においては、取付用ナット５のネジ孔６と対応する位置のアイボルト７の外周面に柔軟な養生材１１を施しているので、吊り下げられた屋根ユニット３が揺れて同アイボルト７が取付用ナット５に対し振れ動いても、この取付用ナット５のネジ孔６の内周面には養生材１１が当接することになって傷がつき難い。それ故、取付用ナット５のネジ孔６でのネジ潰れが防止されて、その後、同ネジ孔６には栓用ボルト１０を支障なくスムーズに螺合させることができるようになる。
【００４４】
又、この実施形態の組立構造物の屋根ユニット設置方法においては、栓用ボルト１０の外周面に防水シール材１２を施しているので、この栓用ボルト１０を取付用ナット５のネジ孔６に螺合させると、同ネジ孔６の内周面と栓用ボルト１０の外周面との間の螺合部分に生じる隙間が防水シール材１２で密閉されて、防水処理は確実なものとなる。
【００４５】
又、この実施形態の組立構造物の屋根ユニット設置方法においては、タイトフレーム１３及び屋根板材２を貫通する取付用孔４を穿設しているので、取付用ナット５と共に同タイトフレーム１３と屋根板材２とが強固に挟着固定されて、屋根ユニット３は確実に吊り下げ支持されるようになる。しかも、取付用孔４は雨水が溜まらない屋根板材２の山部１４に位置するので、同取付用孔４での防水処理はより確実で容易に行われるようになる。
【００４６】
更に、この場合、支持用ナット８とアイボルト７とで取付用ナット５と共に屋根ユニット３を挟着固定した際に、同取付用ナット５と支持用ナット８との間にタイトフレーム１３及び屋根板材２が介在して挟持されるので、このタイトフレーム１３及び屋根板材２はより強固で確実に挟着固定されるようになる。
【００４７】
【発明の効果】
上述の如く、本発明の請求項１記載の組立構造物の屋根ユニット設置方法においては、支持用ナットとアイボルトとで取付用ナットと共に屋根ユニットを挟着固定した状態で、この屋根ユニットを確実に設置固定することができる。又、取付用ナットのネジ孔よりもアイボルトは小径で、このアイボルトを同ネジ孔に支障なくスムーズに挿通させることができ、支持用ナットを同アイボルトに螺合させて、屋根ユニットを容易且つ確実に挟着固定することができる。
【００４８】
しかも、屋根ユニットを設置固定した後、アイボルトから支持用ナットを下方から取り外してやれば、同アイボルトを上方へ容易に抜き外すことができる。そして、取付用ナットのネジ孔に下方から栓用ボルトを螺合させて、同ネジ孔と共に取付用孔を閉塞することができ、防水処理は簡単に施される。この場合、屋根ユニットの下方からの作業となって、作業者は同屋根ユニット上にのぼる必要がなく安全である。
【００４９】
又、本発明の請求項２記載の組立構造物の屋根ユニット設置方法においては、特に、アイボルトが振れ動いても、取付用ナットのネジ孔の内周面には養生材が当接して、このネジ孔でのネジ潰れは防止され、その後、同ネジ孔に栓用ボルトを支障なくスムーズに螺合させることができるようになる。
【００５０】
又、本発明の請求項３記載の組立構造物の屋根ユニット設置方法においては、特に、栓用ボルトを取付用ナットのネジ孔に螺合させると、同ネジ孔の内周面と栓用ボルトの外周面との間の隙間が防水シール材で密閉されて、防水処理は確実なものとなる。
【００５１】
又、本発明の請求項４記載の組立構造物の屋根ユニット設置方法においては、特に、取付用ナットと共にタイトフレームと屋根板材とが強固に挟着固定されて、屋根ユニットは確実に吊り下げ支持されるようになり、しかも、取付用孔が雨水の溜まらない屋根板材の山部に位置して、同取付用孔での防水処理はより確実で容易に行われるようになる。
【００５２】
又、本発明の請求項５記載の組立構造物の屋根ユニット設置方法においては、特に、支持用ナットとアイボルトとで取付用ナットと共に屋根ユニットを挟着固定した際に、同取付用ナットと支持用ナットとの間にタイトフレーム及び屋根板材が介在し挟持されて、このタイトフレーム及び屋根板材はより強固で確実に挟着固定されるようになる。
【図面の簡単な説明】
【図１】本発明の一実施形態において、屋根ユニットを吊り下げて組立構造物本体の屋根部位に設置固定した状態を示す要部縦断面図。
【図２】同実施形態において、屋根ユニットに取付用ナットを取着固定した状態を示す要部縦断面図。
【図３】同実施形態において、（ａ）は支持用ナットとアイボルトとで屋根ユニットを挟着固定した状態を示す要部縦断面図、（ｂ）は同アイボルトを示す正面図。
【図４】同実施形態において、支持用ナットを取り外してアイボルトを上方へ抜き外している状態を示す要部縦断面図。
【図５】同実施形態において、（ａ）は取付用ナットのネジ孔に栓用ボルトを螺合させた閉塞状態を示す要部縦断面図、（ｂ）は同栓用ボルトを示す正面図。
【図６】同実施形態における組立構造物全体を示し、（ａ）はその正面図、（ｂ）はその側面図。
【図７】同実施形態における組立構造物全体を示す要部横断面図。
【図８】図７における要部縦断面を示し、（ａ）はＸ−Ｘ断面図、（ｂ）はＹ−Ｙ断面図、（ｃ）はＺ−Ｚ断面図。
【図９】同実施形態における組立構造物全体を示す要部縦断面図。
【図１０】従来例である組立構造物の屋根ユニット設置方法を示す斜視図。
【図１１】同従来例において、屋根ユニットにアイボルトを取り付ける状態を示す要部縦断面図。
【図１２】同従来例において、屋根ユニットからアイボルトを取り外した状態を示す要部縦断面図。
【符号の説明】
１　支持フレーム
２　屋根板材
３　屋根ユニット
４　取付用孔
５　取付用ナット
６　ネジ孔
７　アイボルト
８　支持用ナット
９　組立構造物本体
１０　栓用ボルト
１１　養生材
１２　防水シール材
１３　タイトフレーム
１４　山部
１５　谷部
Ａ　組立構造物
Ｂ　既存建物
【図１】
2004084220.tif 000003
【図２】
2004084220.tif 000004
【図３】
2004084220.tif 000005
【図４】
2004084220.tif 000006
【図５】
2004084220.tif 000007
【図６】
2004084220.tif 000008
【図７】
2004084220.tif 000009
【図８】
2004084220.tif 000010
【図９】
2004084220.tif 000011
【図１０】
2004084220.tif 000012
【図１１】
2004084220.tif 000013
【図１２】
2004084220.tif 000014